(57)【要約】【課題】耐爆風倒壊強度が大きく、放射線を有効に遮蔽する防護機能を有し、しかも、設置コストを安価に抑え得る少人数用の地上設置型のシェルターを提供する。【解決手段】シェルター１は、出入口２ａを有するシェルター本体２と、出入口２ａを開閉する開閉扉３と、を備え、シェルター本体２および開閉扉３の各外表層部、各内表層部の少なくとも一方に放射線遮蔽材６が設けられ、シェルター本体２および開閉扉３の各外表層部がポリウレア樹脂製膜体７の層を有している。【選択図】図３
2019105025.tif 000002
【特許請求の範囲】
【請求項１】
出入口を有するシェルター本体と、前記出入口を開閉する扉と、を備え、前記シェルター本体および前記扉の各外表層部、各内表層部の少なくとも一方に放射線遮蔽材が設けられ、前記シェルター本体および前記扉の前記各外表層部がポリウレア樹脂製膜体の層を有していることを特徴とするシェルター。
【請求項２】
前記シェルター本体の側面部に窓用開口部を有するとともに前記窓用開口部の周縁部外面に重なるよう前記窓用開口部を外側から閉塞するように戸を有し、前記戸の各外表層部および各内表層部の少なくとも一方に放射線遮蔽材が設けられ、さらに前記戸の前記外表層部がポリウレア樹脂製膜体の層を有していることを特徴とする請求項１に記載のシェルター。
【請求項３】
前記シェルター本体の前記出入口と前記扉の各対向面についても、前記放射線遮蔽材および前記ポリウレア樹脂製膜体の層を有していることを特徴とする請求項１または２に記載のシェルター。
【請求項４】
前記シェルター本体の前記窓用開口部と前記戸の各対向面についても、前記放射線遮蔽材および前記ポリウレア樹脂製膜体の層を有していることを特徴とする請求項２または３に記載のシェルター。
【請求項５】
前記シェルター本体、前記扉および前記戸の各壁厚の一部を占めるように断熱材の層が設けられていることを特徴とする請求項１ないし４のいずれか１項に記載のシェルター。
【請求項６】
前記シェルター本体に排気管および放射能吸着フィルターを有する給気管が設けられ、前記給気管の内端に接続する給気装置が設けられていることを特徴とする請求項１ないし５のいずれか１項に記載のシェルター。
【請求項７】
前記排気管および前記給気管の外端部が逆Ｊ形状に立設されているので、前記排気管および前記給気管の外端部に放射線を遮蔽するシャッターを設けることを特徴とする請求項６に記載のシェルター。
【請求項８】
前記給気装置としてシロッコファンが設けられ、家庭電源により稼働するようになっていることを特徴とする請求項６または７に記載のシェルター。
【請求項９】
設置位置に打設されたコンクリート製設置面に設けられた前記シェルター本体の内部空間の水平断面に対応した盛り上げ部に、前記シェルター本体の下端部が被さるよう設けられていることを特徴とする請求項１ないし８のいずれか１項に記載のシェルター。
【請求項１０】
出入口を有するシェルター本体と、前記出入口を開閉する扉と、を備え、前記シェルター本体および前記扉の各外表層部、各内表層部の少なくとも一方に放射線遮蔽材が設けられ、前記シェルター本体および前記扉の前記各外表層部がポリウレア樹脂製膜体の層を有し、さらに、前記ポリウレア樹脂製膜体を覆うよう最外面に耐熱性および熱遮蔽性を有するセラミックス製タイルが設けられていることを特徴とするシェルター。
【請求項１１】
前記セラミックス製タイルは、耐熱衝撃性を有するセラミックス製タイルであることを特徴とする請求項１０に記載のシェルター。
【請求項１２】
前記セラミックス製タイルは、窒化ケイ素、サイアロン、チタン酸アルミニウム、ムライト、コージライト、耐熱衝撃性アルミナの中のいずれか１種類を含むセラミックスよりなるタイルであることを特徴とする請求項１１に記載のシェルター。
【請求項１３】
前記シェルター本体に排気管および放射能吸着フィルターを有する給気管が設けられ、前記排気管および前記給気管の外端部が逆Ｊ形状に立設され、前記給気管の内端に接続する給気装置が設けられ、前記給気装置には、シロッコファンが設けられており、前記給気管および前記給気装置は、遮光壁で囲まれていることを特徴とする請求項１０ないし１２のいずれか１項に記載のシェルター。
【発明の詳細な説明】
【技術分野】
【０００１】
本発明は、シェルターに関し、特に少なくとも一部が地上に露出する設置形態で所要の耐久性を有し、大気中の放射性物質やその汚染物により被曝し得るような非常時環境において個人用や少人数用の防災・避難施設として有効活用可能なシェルターに関する。
【背景技術】
【０００２】
従来、大気や大地の放射能汚染を伴う災害時に防災・避難施設として活用可能なシェルターが知られており、例えば特許文献１、２に開示されるようなものがある。
【０００３】
特許文献１に開示された防護シェルターにおいては、シェルター本体が側壁と上壁とで構成され、その側壁が、内面側および外面側の金属板と、放射線遮蔽物質を骨材として内面側および外面側の金属板間に打設したコンクリートとで構成され、その上壁が、金属板と、金属板上に打設した放射線遮蔽物質を骨材に用いたコンクリートとで構成されることにより、外部環境の異常な変化から内部空間の居住性を防護できるようになっている。
【０００４】
特許文献２に開示された放射線遮蔽建築物は、複数の壁面材と複数のコーナー材とによって構成されており、その壁面材には、放射線遮蔽率の高い高機能セラミックコンクリートが用いられ、壁面材とコーナー材との接合部には、タングステン入り弾性充填剤が充填されている。
【先行技術文献】
【特許文献】
【０００５】
【特許文献１】特開２００９−２２１６７３号公報
【特許文献２】特開２０１３−１９５４１６号公報
【発明の概要】
【発明が解決しようとする課題】
【０００６】
前述のような従来のシェルターは、大気中に飛散した放射性物質や周辺環境に降り落ちた放射性物質からの放射線を遮蔽して、シェルター内部の避難者を防護する機能を有するものであるが、次のような問題があった。
【０００７】
すなわち、特許文献１、２に開示されるような従来のシェルターにあっては、放射線遮蔽機能を有する壁材や骨材のコストが高くなるばかりか、それらを多数組み合わせて耐爆風倒壊強度を持たせる構成となっているため、その設置工数が非常に多くなっていた。
【０００８】
そのため、従来のシェルターでは、設置コストを安価に抑えることができず、個人用や少人数用の防災・避難施設となる地上設置型のシェルターとして使用するのには難点があった。
【０００９】
本発明は、上述のような課題を解決するためになされたもので、耐爆風倒壊強度が大きく、放射線を有効に遮蔽もしくは軽減する防護機能を有し、しかも、設置コストを安価に抑えることができる地上設置型のシェルターを提供することを目的とする。
【課題を解決するための手段】
【００１０】
本発明に係るシェルターは、上記目的達成のため、出入口を有するシェルター本体と、前記出入口を開閉する開閉扉と、を備え、前記シェルター本体および前記開閉扉の各外表層部、各内表層部の少なくとも一方に放射線遮蔽材が設けられ、前記シェルター本体および前記開閉扉の各外表層部がポリウレア樹脂製膜体の層を有しているものである。
【００１１】
本発明に係るシェルターにおいては、前記シェルター本体の側面部に窓用開口部を有するとともに前記窓用開口部の周縁部外面に重なるよう前記窓用開口部を外側から閉塞するように戸を有し、前記戸の各外表層部および各内表層部の少なくとも一方に放射線遮蔽材が設けられ、さらに前記戸の前記外表層部がポリウレア樹脂製膜体の層を有している構成とすることができる。
【００１２】
この場合、前記窓用開口部で開口する前記放射線遮蔽材の開口内周縁部分や外周縁部分が、前記ポリウレア樹脂製膜体で覆われる構成となっているとよい。
【００１３】
前記シェルター本体の前記出入口と前記開閉扉の各対向面についても、前記放射線遮蔽材および前記ポリウレア樹脂製膜体の層を有している構成とすることができる。
【００１４】
前記シェルター本体の前記窓用開口部と前記戸の各対向面についても、前記放射線遮蔽材および前記ポリウレア樹脂製膜体の層を有している構成とすることができる。
【００１５】
また、前記シェルター本体、前記開閉扉および前記戸の各壁厚の一部を占めるように断熱材の層が設けられた構成とすることもできる。
【００１６】
さらに、前記シェルター本体に排気管および放射能吸着フィルターを有する給気管が設けられ、前記給気管の内端に接続する給気装置が設けられた構成とすることもできる。
【００１７】
その場合、前記排気管および前記給気管の外端部が逆Ｊ形状に立設されている構成とするのがよい。
【００１８】
また、前記給気装置としてシロッコファンが設けられている構成としてもよい。ここにいうシロッコファンは、プロペラファンに比し高静圧でダクト接続に適した遠心送風機等の送風機を意味する。
【００１９】
本発明に係るシェルターにおいては、設置位置に打設されたコンクリート製設置面に設けられた前記シェルター本体の内部空間の水平断面に対応した盛り上げ部に、前記シェルター本体の下端部が被さる構成とすることもできる。
【００２０】
本発明に係るシェルターは、前記ポリウレア樹脂製膜体を覆うよう最外面に耐熱性および熱遮蔽性を有するセラミックス製タイルが設けられている構成とすることもできる。ここでの熱遮蔽性は、少なくとも内層側への熱伝導率が所定値以下となり、熱の貫流を抑える性質の意である。
【００２１】
前記セラミックス製タイルは、耐熱衝撃性を有するセラミックス製タイルであるのがよい。
【００２２】
また、前記セラミックス製タイルは、窒化ケイ素、サイアロン、チタン酸アルミニウム、ムライト、コージライト、耐熱衝撃性アルミナの中のいずれか１種類を含むセラミックスよりなるタイルである構成とすることもできる。
【００２３】
本発明に係るシェルターにおいては、前記シェルター本体に排気管および放射能吸着フィルターを有する給気管が設けられ、前記排気管および前記給気管の外端部が逆Ｊ形状に形成され、前記給気管の内端に接続する給気装置が設けられ、前記給気装置には、シロッコファンが設けられ、前記給気管および前記給気装置は、遮光壁で囲まれている構成とすることもできる。
【発明の効果】
【００２４】
本発明によれば、耐爆風倒壊強度が大きく、放射線を有効に遮蔽もしくは軽減する防護機能を有し、しかも、設置コストを安価に抑えることができる地上設置型のシェルターを提供することができる。
【００２５】
また、外表層部にポリウレア樹脂製膜体を覆うセラミックス製タイルを付加するようにすれば、一時的に外気温が数百℃以上の高温になっても内層側への熱伝導を有効に抑制でき、ポリウレア樹脂製膜体の熱破壊を抑制可能なシェルターを提供することができる。
【図面の簡単な説明】
【００２６】
【図１】本発明の一実施の形態に係るシェルターを示す斜視図である。
【図２】本発明の一実施の形態に係るシェルターにおける正面図である。
【図３】図２におけるＩＩＩ−ＩＩＩ断面図である。
【図４】図１におけるＩＶ−ＩＶ断面図である。
【図５】本発明の一実施の形態に係るシェルターにおける給気装置の拡大図である。
【図６】本発明の他の実施の形態に係るシェルターを示す斜視図である。
【図７】本発明の他の実施の形態に係るシェルターにおける正面図である。
【図８】図７におけるＶＩＩＩ−ＶＩＩＩ断面図である。
【図９】図６におけるＩＸ−ＩＸ断面図である。
【図１０】本発明の他の実施の形態に係るシェルターにおける給気装置の拡大図である。
【発明を実施するための形態】
【００２７】
以下、本発明を実施するための形態について図面を参照しつつ説明する。
【００２８】
（一実施の形態）
本発明に係るシェルターの一実施の形態を図１ないし図５に示している。
【００２９】
図１および図２に示すように、本実施の形態に係るシェルター１は、内部空間１Ｒの出入口２ａおよび窓用開口部２ｂを有するシェルター本体２と、出入口２ａを開閉する外開き式の扉である開閉扉３と、窓用開口部２ｂを開閉する戸である窓用引戸４と、第１および第２の給気装置１１、１３と、第１および第２の給気管１２、１４と、排気管１７とを備えている。
【００３０】
図３および図４に示すように、シェルター本体２、開閉扉３および窓用引戸４は、躯体２ｃ、扉躯体３ａまたは戸躯体４ａを有する。これら躯体２ｃ、扉躯体３ａおよび戸躯体４ａは、木造、鉄骨造、鉄筋コンクリート、ツーバイフォー（２×４）造、樹脂パネル造、あるいは軽量気泡コンクリート造であり、全体としてコンテナその他の容器状またはドーム状に構成されている。すなわち、図１に示すシェルター本体２の躯体２ｃは、直方体形状に形成されているが、これに限定されず、例えばかまぼこ屋根形や三角屋根形に形成されてもよい。
【００３１】
図３および図４に示すように、シェルター本体２の外壁面側に位置する躯体２ｃ、扉躯体３ａおよび戸躯体４ａの外表面部には、それぞれ放射線遮蔽材６の層が設けられており、シェルター本体２、開閉扉３および窓用引戸４は、いずれもその外表層部における放射線遮蔽機能を有している。なお、放射線遮蔽材６は、シェルター本体２の内壁面側（内部空間１Ｒ側）に位置する躯体２ｃ、扉躯体３ａおよび戸躯体４ａの内表層部に設けられてもよい。窓用引戸４は、シェルター本体２の外面に設けられた戸ガイド５に案内されており、窓用開口部２ｂを開閉することができる。
【００３２】
放射線遮蔽材６は、以下に説明する複数の構成Ｍ１〜Ｍ１０のうちいずれかを、その構成として採用したものである。
（Ｍ１）シェルター本体２、開閉扉３および窓用引戸４の外表層部または内表層部に、合成樹脂剤中にタングステン微粉体を高密度に分散させた混合液によって吹付け形成された放射線遮蔽性を有する膜体である放射線遮蔽材。
（Ｍ２）紙にタングステン微粉体を高密度でコーティングしてなる放射線遮蔽性を有するタングステン機能紙である放射線遮蔽材。
（Ｍ３）硫酸バリウムを高充填配合してなる放射線遮蔽性を有するゴムシートである放射線遮蔽材。
（Ｍ４）ブチルゴム又はポリイソブチレンゴム中に微細なタングステン粉末が均ーに分散されてなる放射線遮蔽性を有するゴムシートである放射線遮蔽材。
（Ｍ５）アルミニウム粉末とタングステン粉末とが分散した混合粉末材を熱間加圧により成形してなる放射線遮蔽性を有する金属化パネルである放射線遮蔽材。
（Ｍ６）合成樹脂剤中に、放射線遮蔽性を有する金属粉または硫酸バリウムを高密度に分散してなる合成樹脂製パネルである放射線遮蔽材。
（Ｍ７）ハイアルミナセメントからなる細骨材と、粗骨材と、ホウ素含有化合物とを含む放射線遮蔽性を有するコンクリートパネルである放射線遮蔽材。
（Ｍ８）ポルトランドセメント、石灰石細骨材および石灰石粗骨材を含む放射線遮蔽性を有するコンクリートパネルである放射線遮蔽材。
（Ｍ９）水硬性石膏と硫酸バリウムとを含む放射線遮蔽性を有する石膏パネルで構成された放射線遮蔽材。
（Ｍ１０）放射線遮蔽性を有する鉄骨造または鉄筋入り軽量コンクリートパネルである放射線遮蔽材。
【００３３】
シェルター１は、シェルター本体２、開閉扉３および窓用引戸４の各壁厚の一部を占めるように断熱材８の層が設けられている。例えば、図３および図４に示すように、シェルター本体２、開閉扉３および窓用引戸４は、それぞれの内表層部に位置する断熱材８を有している。これにより、躯体２ｃ、扉躯体３ａまたは戸躯体４ａの壁厚方向でかつ室内方向への熱の貫流を遮断することができ、内部空間１Ｒの温度の上昇を防ぐことができる。
【００３４】
なお、断熱材８は、シェルター本体２、開閉扉３および窓用引戸４の外表層部に位置するよう、躯体２ｃ、扉躯体３ａおよび戸躯体４ａの外表面と放射線遮蔽材６との間に配置されてもよい。
【００３５】
シェルター本体２、開閉扉３および窓用引戸４においては、躯体２ｃ、扉躯体３ａおよび戸躯体４ａの各外表面に積層された放射線遮蔽材６の外表面部が、それぞれポリウレア樹脂製膜体７で覆われている。
【００３６】
ポリウレア樹脂製膜体７は、出入口２ａの内周壁部と開閉扉３の内面側の外周部との対向部分、並びに窓用開口部２ｂの開口縁部外面と開閉扉３の内面部との対向部分をも覆うように設けられている。ポリウレア樹脂製膜体７は、さらに、躯体２ｃ、扉躯体３ａまたは戸躯体４ａの各内表面に積層された断熱材８の内表面部を覆っているようにしてもよい（図３、図４中では覆っていない）。
【００３７】
ポリウレア樹脂は、特殊アミン（主剤）とイソシアネート（硬化剤）との２成分を一定割合で均一に混合させ、付加重合しウレア結合が主体となった化合物であるライニング材である。ポリウレア樹脂は、Ｒ−ＮＣＯ  ＋Ｒ´−ＮＨ２  →  Ｒ−ＮＨ−ＣＯ−ＮＨ−Ｒ´の化学反応式で表現できるもので、耐水・耐食・耐摩耗性・防錆・崩落防止・耐爆・耐衝撃性・滑り止め・防音・断熱に優れている。ポリウレア樹脂は、−５０℃の耐寒強度を有し、１５０℃で柔軟性と強度を両立する。ポリウレア樹脂製膜体７は、躯体２ｃ、扉躯体３ａまたは戸躯体４ａと放射線遮蔽材６との密着一体性を補強する。
【００３８】
ポリウレア樹脂は、例えばＬＩＮＥ−Ｘ社製またはＩｎｓｔａＣｏｔｅ社製のもので、イソシアネートと特殊アミンの２成分を、自動定量混合スプレー装置を使用して圧送・混合・吐出させ、躯体２ｃ、扉躯体３ａおよび戸躯体４ａの外表面に積層された放射線遮蔽材６の施工面全域および躯体の開口内や接合部に及んでスプレーすることにより、放射線遮蔽材６の開口内周縁部分や外周縁部分を覆いつつ瞬時に硬化した、厚さ１〜１．５ｍｍの塗膜をポリウレア樹脂製膜体７として形成する。
【００３９】
開閉扉３は、外開き式に設けられ、外側から爆風等による大きな外力を受けたとしても、内面側の周縁部をシェルター本体２の出入口２ａの内周縁部で受け止め可能である。
【００４０】
開閉扉３は、矩形に形成されているが、他の形状、例えば円形に形成されていてもよい。開閉扉３は、外側と内側のいずれからもロックが掛かるラッチ式のロック手段３ｂを備えている。そして、開閉扉３を閉じてロック手段３ｂで閉扉状態をロックしたとき、開閉扉３の内面周縁部がシェルター本体２の出入口２ａの周縁部で受け止められ、出入口２ａの気密性と安全性を高めた密閉状態が得られるように構成されている。
【００４１】
窓用引戸４についても、窓用開口部２ｂを形成する側面部にかんぬき式のロック手段４ｂが設けられ、かんぬきをスライドしてかんぬきの先端を窓用引戸４に対して内面より先行された小孔に嵌合することで、窓用引戸４が閉戸状態にロックされるようになっている。
【００４２】
図１、図２および図５に示すように、シェルター１は、シェルター本体２の上面角部に排気口１６が設けられ、排気口１６により連通して立ち上がる排気管１７が設けられ、排気管１７の外端部（上端部）が逆Ｊ形状に形成されている。また、排気口１６と対角位置のシェルター本体２の側面下部に第１および第２の給気口１０、１３が設けられ、第１および第２の給気口１０、１３の各外端から外方に延びる第１および第２の給気管１２、１４が設けられている。第１および第２の給気管１２、１４には、放射能吸着フィルター１８が充填されている。なお、排気管１７、第１および第２の給気管１２、１４は、例えばステンレス鋼管が用いられる。
【００４３】
第１の給気管１２は、家庭電源で稼働し得る外部設置型の第１の給気装置１１の送気口と接続されている。第１の給気装置１１は、電気モータで回転されるファン１１ａと、塵埃捕捉フィルター１１ｂとを内装しており、ファン１１ａを回転して外気を吸い込み、第１の給気管１２へ送気する。第１の給気管１２を通流する空気に放射能が含まれる場合、当該放射能は、放射能吸着フィルター１８に吸着され、除染された空気がシェルター１内に流入するようになっている。
【００４４】
第２の給気口１３の内端には、室内設置の第２の給気装置１５の吸込口が接続されており、第２の給気装置１５にはシロッコファンが採用されている。ここにいうシロッコファンは、プロペラファンに比べて高静圧で作動し、ダクト接続に適している遠心送風機等の専ら多翼の送風機を意味する。この第２の給気装置１５は、家庭電源（商用電源）にあるいは家庭用の発電機に接続されるようになっている。
【００４５】
また、第２の給気装置１５は、ハンドル１５ａを回転することにより発電する発電機１５ｂと、発電機１５ｂで発電された電気を蓄電する二次電池とを含んでおり、電源用の切り替えスイッチを切り替えることで、商用電源や発電機のような外部電源でも手動式の内部電源でも稼働し得る構成となっている。
【００４６】
そして、第２の給気装置１５が作動するとき、外気が第２の給気管１４に吸い込まれ、第２の給気管１４を通流する空気中に放射性物質が含まれていたとしても、その物質が放射能吸着フィルター１８に吸着されることで、除染された安全な空気をシェルター１内に流入させるようになっている。なお、第２の給気管１４は、本発明にいう給気管であり、第２の給気装置１５は、本発明にいう給気装置である。
【００４７】
第１の給気装置１１と第２の給気装置１５は、同時に稼働されてもよいし、いずれか一方が稼働されてもよい。有事に家庭電源への送電が行われなくなった場合には、第２の給気装置１５のハンドル１５ａを回転して第２の給気装置１５を稼働させて外気をシェルター１内に取り込むようになっている。
【００４８】
シェルター１の設置場所としては、例えば個人の宅地その他の敷地の一角にコンクリートを打設してコンクリート製設置面Ｃを設ける。コンクリート製設置面Ｃには、盛り上げ部Ｃ１を設ける。盛り上げ部Ｃ１は、シェルター本体２の内部空間の水平断面に対応した平面形状に形成されている。したがって、シェルター１をクレーンで吊り上げ、盛り上げ部Ｃ１にシェルター本体２の下端部が被さるようにシェルター１を吊り下ろすと、位置決めができて設置が完了する。よって、アンカーボルト等がなくてもよい。
【００４９】
なお、シェルター１の例えば３／４高さ位置が地表面となるようにピット（縦穴）を設け、ピット底面部にコンクリート製設置面Ｃを打設し、コンクリート製設置面Ｃにシェルター１を設置し、シェルター１を、底面部が無く上部がアーチ形をしたプレキャストコンクリート製品であるアーチカルバード（登録商標）で覆うようにしてもよい。
【００５０】
次に、上記のように構成された本実施のシェルターの作用効果について説明する。
【００５１】
（Ａ１）シェルター１は、耐爆風倒壊強度が大きく、放射線を遮蔽もしくは軽減する機能を有し、または大気中に飛散する放射性物質やそれによる汚染物（汚染土、汚染水等）から隔離でき、製造コストを安価に抑えられる。
【００５２】
すなわち、シェルター１は、シェルター本体２および開閉扉３を放射線遮蔽材６およびポリウレア樹脂製膜体７が覆う構成であるので、放射線遮蔽材６によってシェルター本体２および開閉扉３を透過しようとする放射線を遮蔽もしくは軽減することができるとともに、ポリウレア樹脂製膜体７によってシェルター本体２および開閉扉３の強度と閉止時の気密性および耐久性を向上させることができ、さらに、シェルター本体２および開閉扉３と放射線遮蔽材６の一体性を向上させることができ、耐爆風倒壊強度を耐久的に補強し大気中に飛散する放射性物質やそれによる汚染物から内部空間１Ｒ内の避難者や避難時に必要な物品を安全に防護できる。
【００５３】
また、シェルター１は、個人用等の少人数向けの地上設置タイプの避難施設として製造コストや設置作業コストを安価に抑えることができ、例えば個人の住宅その他の敷地の一角に簡易に設置することができ、原子力発電所の事故や戦争等の有事の発生時その他の非常時において、生活環境に近接する地上設置タイプの避難施設として利用でき、非常時でなくとも、外部からの防音や防水、遮光が可能な隔離環境を提供可能な施設として好適に利用することができる。
【００５４】
（Ａ２）シェルター１は、シェルター本体２について窓用開口部２ｂを設けるとともに、窓用開口部２ｂを開閉する窓用引戸４を設け、その窓用引戸４を放射線遮蔽材６とポリウレア樹脂製膜体７とで覆いかつ窓用開口部２ｂの周縁部外面に重なるよう窓用開口部２ｂを外側から閉塞可能な構成としているので、窓用引戸４について、十分な耐爆風強度と放射線遮蔽機能を確保することができるだけでなく、非常時において窓用引戸４が爆風等による大きな外力を受けても、窓用引戸４がシェルター１の内部空間１Ｒ側に飛び込んでしまうことを確実に防止することができる。
【００５５】
しかも、危機的状況が去ってシェルター１の外部に出ても安全な状況になったとき、外部の障害物等によって開閉扉３が開かない場合が生じたとしても、窓用引戸４を開けることで、窓用開口部２ｂを第２の脱出口として利用することができる。
【００５６】
（Ａ３）シェルター１は、出入口２ａの枠部と開閉扉３の各対向面についても、放射線遮蔽材６およびポリウレア樹脂製膜体７で覆われているので、シェルター本体２および開閉扉３の周辺部の強度の補強ができてかつ閉止時の気密性および耐久性を保持でき、出入口２ａと開閉扉３との隙間に関する放射線遮蔽性を高めることができる。
【００５７】
（Ａ４）シェルター１は、シェルター本体の窓用開口部２ｂと窓用引戸４の各対向面についても、放射線遮蔽材６およびポリウレア樹脂製膜体７で覆われているので、窓用引戸４の周辺部の耐久強度を一層大きく保持するとともに、窓用引戸４の閉止時の気密性および耐久性を保持でき、窓用開口部２ｂの隙間に関する放射線遮蔽性を保持する。
【００５８】
（Ａ５）シェルター１は、断熱材８がシェルター本体２、開閉扉３および窓用引戸４の内表層部または外表層部を覆うように配置されているので、有事にシェルター１を取り巻く外気温が高温になったとしても、シェルター本体２、開閉扉３および窓用引戸４を介して内部空間１Ｒ側に熱が流入するのを断熱材８で有効に遮断し、シェルター１の内部空間１Ｒの温度を避難者を防護可能な適温状態に保持することができる。
【００５９】
（Ａ６）シェルター１は、排気管１７および放射能吸着フィルター１８を有する第２の給気管１４が設けられ、第２の給気管１４の内端に接続された第２の給気装置１５が設けられているので、内部空気を陽圧に保持することでシェルター本体２の内部に放射性物質が侵入するのを防ぎしつつ、除染された外気を取り入れることができる。
【００６０】
（Ａ７）シェルター１は、排気管１７および第２の給気管１４の外端部が逆Ｊ形状に立設されているので、排気管１７および第２の給気管１４の外端部に放射線を遮蔽するシャッターを設けることが不要で、構成の簡素化ができる。
【００６１】
（Ａ８）シェルター１は、第２の給気装置１５としてシロッコファンが設けられ、回転エネルギー入力源として、電力供給網や発電機と接続可能な給電用端子と、シロッコファンを回転させるハンドルとの切り替えが可能になっているので、吸気装置への給電が途絶えたときには、ハンドルを手回しすることで、シロッコファンを回転させて除染された外気を内部空間１Ｒ内に取り込むことができる。
【００６２】
（Ａ９）シェルター１は、設置位置に打設されたコンクリート製設置面Ｃに盛り上げ部Ｃ１を有するよう構成したので、シェルター本体２をクレーンで吊り上げ、シェルター本体２の下端部が盛り上げ部Ｃ１に被さるようシェルター本体２を吊り下げれば位置決めが完了し、アンカーボルトなどで固定することが不要である。
【００６３】
以上説明したように、本発明によれば、耐爆風倒壊強度が大きく、放射線を遮蔽もしくは軽減する機能を有し、大気中に飛散する放射性物質から内部空間１Ｒを隔離できる、設置コストの安価に抑えられるシェルターを提供できるという効果を有し、個人用や少人数用の地上設置タイプの避難施設として耐久性を有し例えば個人の敷地の一角に簡易に設置し、原子力発電所の事故の発生時や放射線被曝の可能性が高い有事その他の非常時において個人用等の避難施設シェルターとして有用である。
【００６４】
（他の実施の形態）
次に、本発明に係るシェルターの他の実施の形態について説明する。
【００６５】
図６および図７に示す本実施の形態のシェルター１は、一実施の形態と同様に、内部空間１Ｒへの出入口２ａおよび窓用開口部２ｂを有するシェルター本体２と、出入口２ａを開閉する外開き式の開閉扉３と、窓用開口部２ｂを開閉する窓用引戸４と、第１および第２の給気装置１１、１５と、第１および第２の給気管１２、１４と、排気管１７とを備えている。なお、第１および第２の給気管１２、１４と排気管１７とは、それぞれ例えばステンレス鋼管で構成されている。
【００６６】
また、図８および図９に示すように、シェルター本体２、開閉扉３および窓用引戸４の躯体２ｃ、扉躯体３ａおよび戸躯体４ａは、それぞれ木造、鉄骨造、鉄筋コンクリート、ツーバイフォー（２×４）構造、樹脂パネル造、あるいは軽量気泡コンクリート造で、全体としてコンテナその他の容器状またはドーム状に構成されている。
【００６７】
躯体２ｃ、扉躯体３ａおよび戸躯体４ａには、それぞれの外表面部（外壁面側）に放射線遮蔽材６が積層されており、それぞれの内表面部（内壁面側）には断熱材８が積層されている。そして、躯体２ｃ、扉躯体３ａおよび戸躯体４ａのそれぞれの放射線遮蔽材６の外面がポリウレア樹脂製膜体７で覆われ、さらに、それらのポリウレア樹脂製膜体７の外面を覆うように耐熱性および熱遮蔽性を有する複数のセラミックス製タイル９が貼り付けられている。ここにいう熱遮蔽性は、少なくとも内層側への熱伝導率が所定値以下となり、セラミックス製タイル９を介した熱の貫流を抑える性質（低熱伝導率、低熱貫流率）の意である。
【００６８】
図６に示すように、外開き式（型開きでも両開きでもよい）の開閉扉３は、外側と内側のいずれからもロックが掛かるロック手段３ｂを備えている。また、開閉扉３は、その外表面部に爆風等による大きな外力を受けたとしても、内面周縁部をシェルター本体２の出入口２ａの周縁部で受け止め可能である。また、開閉扉３を閉じてロック手段３ｂで閉扉状態をロックしたとき、開閉扉３の内面周縁部がシェルター本体２の出入口２ａの周縁部で受け止められることで、出入口２ａが密閉され得るようになっている。
【００６９】
図６に示すように、窓用引戸４は、シェルター本体２の外面に設けられた戸ガイド５によって、窓用開口部２ｂを開閉する方向に移動可能に案内されている。図９に示すように、窓用開口部２ｂの内側壁面部にはかんぬき式のロック手段４ｂが設けられており、同図に示すようにロック手段４ｂのかんぬきを窓用引戸４に穿孔された小孔に嵌入させるとき、窓用引戸４が窓用開口部２ｂを閉止する閉止位置でロックされるようになっている。
【００７０】
本実施の形態では、放射線遮蔽材６が躯体２ｃ、扉躯体３ａおよび戸躯体４ａのそれぞれの外表面部に積層されることで、シェルター本体２、開閉扉３および窓用引戸４がいずれも放射線遮蔽機能を有している。しかし、放射線遮蔽材６は、躯体２ｃ、扉躯体３ａまたは戸躯体４ａの外表面部でなく内表面部に設けられてもよいし、両面側に積層されてもよい。
【００７１】
放射線遮蔽材６は、一実施の形態と略同様に、以下に説明する複数の構成Ｍ１´〜Ｍ１０のうちいずれか１つまたは複数の構成を有している。
（Ｍ１´）シェルター本体２、開閉扉３および窓用引戸４の外表面部に、それらの接合部を覆うよう、合成樹脂剤中にタングステン微粉体を高密度に分散させた混合液をガンスプレーによりコーティングし硬化させた、放射線遮蔽性を有する膜体である放射線遮蔽材。
（Ｍ２´）紙にタングステン微粉体を高密度でコーティングしてなる放射線遮蔽性を有するタングステン機能紙である複数の放射線遮蔽材。
（Ｍ３´）硫酸バリウムを高充填配合してなる放射線遮蔽性を有する複数の厚さの異なるゴムシートである放射線遮蔽材。
（Ｍ４´）ブチルゴム又はポリイソブチレンゴム中に微細なタングステン粉末が均ーに分散されてなる放射線遮蔽性を有する複数の厚さの異なるゴムシートである放射線遮蔽材。
（Ｍ５´）アルミニウム粉末とタングステン粉末とが分散した混合粉末材を熱間加圧により成形してなる放射線遮蔽性を有する複数の金属化パネルである放射線遮蔽材。
（Ｍ６´）合成樹脂剤中に、放射線遮蔽性を有する金属粉または硫酸バリウムを高密度に分散してなる複数の合成樹脂製パネルである放射線遮蔽材。
（Ｍ７´）ハイアルミナセメントからなる細骨材と、粗骨材と、ホウ素含有化合物とを含む放射線遮蔽性を有する複数のコンクリートパネルである放射線遮蔽材。
（Ｍ８´）ポルトランドセメント、石灰石細骨材および石灰石粗骨材を含む放射線遮蔽性を有する複数のコンクリートパネルである放射線遮蔽材。
（Ｍ９´）水硬性石膏と硫酸バリウムとを含む放射線遮蔽性を有する複数の石膏パネルで構成された放射線遮蔽材。
（Ｍ１０´）放射線遮蔽性を有する複数の鉄骨造または鉄筋入り軽量コンクリートパネルである放射線遮蔽材。
【００７２】
図８および図９に示すように、断熱材８は、シェルター本体２、開閉扉３および窓用引戸４のそれぞれの壁厚の一部を占めるように設けられており、例えば躯体２ｃ、扉躯体３ａまたは戸躯体４ａの内表面部に配置されている。これにより、躯体２ｃ、扉躯体３ａまたは戸躯体４ａの壁厚方向でかつ外部から室内方向への熱の流入を有効に遮断もしくは軽減することができ、シェルター１の内部空間１Ｒ側の空気および内壁面温度の上昇を防ぐことができる。
【００７３】
この断熱材８は、躯体２ｃ、扉躯体３ａまたは戸躯体４ａの各外表面部と放射線遮蔽材６との間に配置されてもよく、勿論、躯体２ｃ、扉躯体３ａまたは戸躯体４ａの両面側に配置されてもよい。
【００７４】
シェルター本体２、開閉扉３および窓用引戸４の外壁面側に位置するポリウレア樹脂製膜体７は、躯体２ｃ、扉躯体３ａおよび戸躯体４ａの外表面部に積層された放射線遮蔽材６の外面の全域を覆っている。
【００７５】
さらに、ポリウレア樹脂製膜体７は、躯体２ｃ、扉躯体３ａおよび戸躯体４ａの壁心付近に位置する出入口２ａの内周壁部と開閉扉３との対向部分にまで及んでおり、窓用開口部２ｂの開口縁部外面部分と窓用引戸４の内壁面部分との対向部分をも覆っている。
【００７６】
なお、ポリウレア樹脂製膜体７は、放射線遮蔽材６を覆うだけでなく、躯体２ｃ、扉躯体３ａおよび戸躯体４ａの内表面部で断熱材８の内表面を覆うよう、両面側に配置されてもよい。
【００７７】
ポリウレア樹脂製膜体７は、躯体２ｃ、扉躯体３ａおよび戸躯体４ａのそれぞれの外表面部における放射線遮蔽材６の密着一体性を補強し得るものであり、弾性変形の限界応力が比較的高いポリウレア樹脂で構成されている。このポリウレア樹脂は、特殊アミン（主剤）とイソシアネート（硬化剤）との２成分を一定割合で均一に混合させ、付加重合しウレア結合が主体となった化合物からなるライニング材である。
【００７８】
ここでのポリウレア樹脂は、例えばＲ−ＮＣＯ＋Ｒ´−ＮＨ２ → Ｒ−ＮＨ−ＣＯ−ＮＨ−Ｒ´の化学反応式で表現できるものであり、耐水・耐食・耐摩耗性・防錆・崩落防止・耐爆・耐衝撃性・滑り止め・防音・断熱のそれぞれに優れている。
【００７９】
また、ポリウレア樹脂は、−５０℃の耐寒強度を有し、１５０℃の高温での柔軟性と強度を両立し得るものである。ポリウレア樹脂は、躯体２ｃ、扉躯体３ａおよび戸躯体４ａを覆うことで、躯体２ｃ、扉躯体３ａおよび戸躯体４ａの耐火性や耐水性を高め、所要の耐久性を与えている。
【００８０】
このポリウレア樹脂は、例えばイソシアネートと特殊アミンの２成分を、自動定量混合スプレー装置を使用して圧送・混合・吐出させ、ポリウレア樹脂製膜体７の施工面全域にスプレーすることにより、瞬時に硬化させ、ポリウレア樹脂製膜体７となる厚さ１〜１．５ｍｍの塗膜を形成する。
【００８１】
セラミックス製タイル９は、ポリウレア樹脂製膜体７の外表面部に耐熱接着剤を介してライニングされる。耐熱接着剤は、耐熱温度が例えば１０００℃以上である耐熱接着剤が好ましく、例えば、ボンド・エックス（登録商標）、ニッセラコートＡ３００を用いることができる。
【００８２】
セラミックス製タイル９は、耐熱性を有するのみでなく、少なくとも所定値以下の低熱伝導率による熱遮蔽性を有するものであり、セラミックス製タイル９を通してポリウレア樹脂製膜体７に外部から伝熱され、ポリウレア樹脂製膜体７が熱破壊を起こしシェルター本体２の躯体２ｃから剥離したり、セラミックス製タイル９と共に剥落したりするのを回避できるようになっている。
【００８３】
セラミックス製タイル９は、耐熱性および熱遮蔽性を有するほかに、耐熱衝撃性を有することが望ましい。この耐熱衝撃性は、例えばＪＩＳ  Ｒ  １６４８：２００２に規定される、ファインセラミックスの熱衝撃試験方法（急冷強度測定法）に従って測定され定量化される。セラミックス製タイル９は、ΔＴが４００℃以上であることが好ましい。
【００８４】
セラミックス製タイル９が耐熱衝撃性を有することが望ましいという理由は、熱膨張係数が大きい耐熱性を有するセラミックスは、熱衝撃が加わるとクラックが入ってしまい、クラックが入ることで、クラックの隙間を通る放射能が、タイル９のクラックがない部分を通る放射能よりも大きくなるので、これを回避する。このため、セラミックス製タイル９は、熱膨張係数が小さく耐熱衝撃性を有していることが好ましい。
【００８５】
表１は、耐熱性を有するセラミックスの例を挙げかつその物性を示す。
【００８６】
【表１】
2019105025.tif 000003
【００８７】
表１に示すセラミックス以外に、高温度の耐熱衝撃性を有するセラミックスとして、リチア素地、コージェライト、窒化ケイ素に窒化ホウ素の微粒子を含んで焼成された窒化ケイ素系セラミックス、チタン酸アルミニウム、ムライト、コージライト、結晶化ガラス、アルミナ耐熱衝撃性タイプＡ９９５１Ｓ等を挙げることができる。
【００８８】
表１に示すように、アルミナおよびジルコニアは、耐熱衝撃性が低いので適さない。石英ガラスは、熱伝導率が最も低くかつ耐熱衝撃性が最も高いが、曲げ強度が極めて低いので、ライニングする際に注意が必要である。炭化ケイ素、窒化アルミリチア素地およびコージェライト、結晶化ガラスは、熱伝導率が高いので適さない。炭化ホウ素は、難焼結、難加工であるので適さない。窒化ケイ素およびサイアロンは、熱膨張率が小さく耐熱衝撃性が大きく、熱伝導率が低い。
【００８９】
以下では、表１以外のセラミックスについて述べる。
【００９０】
まず、セラミックス製タイル９として適さないセラミックスとして結晶化ガラスが挙げられる。結晶化ガラスは、ガラスを熱処理して結晶をガラス内部にβ−石英固溶体やβ−スポジュメン固溶体を析出させた耐熱低膨張結晶化ガラスは、温度変化による膨張や収縮の量が極めて小さいことから、急加熱や急冷による破損が起こりにくい。しかし、結晶化ガラスは、熱放射の高い透過性を有するのでセラミックス製タイル９として適さない。窒化ケイ素に窒化ホウ素の微粒子を含んで焼成された窒化ケイ素系セラミックスは、熱膨張率が小さく耐熱衝撃性が大きいが、熱伝導率が高いのでセラミックス製タイル９として適さない。
【００９１】
セラミックス製タイル９として適するセラミックスとして以下のものが挙げられる。
【００９２】
チタン酸アルミニウムは、Ａｌ２Ｏ３とＴｉＯ２との化合物であり、熱伝導率が１．５ｗ／ｍ・Ｋ、熱膨張率が０．７×１０−６／℃、ΔＴが３５０℃で耐熱衝撃性が大きい。
【００９３】
ムライトは、酸化アルミニウムと二酸化ケイ素とが化合し単鎖構造を持つアルミノケイ酸塩鉱物物（３Ａｌ２Ｏ３・２ＳｉＯ２）であり、高温に強く熱膨張率が小さく耐熱衝撃性を有する。
【００９４】
合成コージライトは、２ＭｇＯ・２Ａｌ２Ｏ３・５ＳｉＯ２の結晶からなり、熱伝導率１．２５Ｗ／ｍ・Ｋ、熱膨張係数２．８×１０−６／℃と低熱膨張性を有し、ΔＴ４００℃で耐熱衝撃性を示す。合成コージライトは、水酸化アルミナ・タンク・各種カオリン・水酸化マグネシウム・炭酸マグネシウムを使用原料として焼成され、熱膨張係数が１．７〜２．０×１０−６／℃と低熱膨張性を有し、ΔＴ７００℃で耐熱衝撃性を示す。
【００９５】
アルミナ耐熱衝撃タイプ  Ａ９９５１Ｓ（株式会社ＮＴＫセラテック製）は、熱伝導率３０Ｗ／ｍ・Ｋ、熱膨張係数６．９×１０−６／Ｋ、ΔＴ５００℃であり、耐熱衝撃性が高い。
【００９６】
整理すると、窒化ケイ素、サイアロン、チタン酸アルミニウム、ムライト、コージライト、アルミナ耐熱衝撃タイプＡ９９５１Ｓのセラミックスは、耐熱性、耐熱衝撃性および熱遮蔽性を有し、セラミックス製タイル９として適する。なお、セラミックス製タイル９として適するものはこれらに限定されない。
【００９７】
図６、図７および図１０に示すように、シェルター１は、シェルター本体２の上面角部に排気口１６が設けられ、排気口１６により連通して立ち上がる排気管１７が設けられ、排気管１７の外端部（上端部）が逆Ｊ形状に形成されている。また、排気口１６と対角位置のシェルター本体２の側面下部に第１および第２の給気口１０、１３が設けられ、第１および第２の給気口１０、１３の各外端から外方に延びる第１および第２の給気管１２、１４が設けられている。第１および第２の給気管１２、１４には、放射能吸着フィルター１８が充填されている。
【００９８】
第１の給気管１２は、家庭電源と電気的に接続可能な外部設置型の第１の給気装置１１の送気口と接続されている。第１の給気装置１１は、電気モータで回転されるファン１１ａと、塵埃捕捉フィルター１１ｂとを内装しており、ファン１１ａを回転して外気を吸い込み、第１の給気管１２へ送気する。第１の給気管１２を通流する空気に放射能が含まれる場合、当該放射能は、放射能吸着フィルター１８に吸着され、除染された空気がシェルター１内に流入する。
【００９９】
第２の給気口１３の内端には、室内設置の第２の給気装置１５の吸込口が接続されており、第２の給気装置１５としては、シロッコファン、すなわち、プロペラファンに比べて高静圧の運転状態となる、ダクト接続に適した遠心送風機等の多翼送風機が採用されている。
【０１００】
また、第２の給気装置１５は、家庭電源や発電機に接続可能であるとともに、ハンドル１５ａを回転することにより発電する発電機１５ｂと、発電機１５ｂで発電された電気を蓄電する二次電池とを内蔵しており、電源用の切り替えスイッチを切り替えることで、外部電源によっても内部電源によっても稼働し得るようになっている。
【０１０１】
そして、第２の給気装置１５が作動すると、外気が第２の給気管１４に吸い込まれ、第２の給気管１４を通流する空気に放射性物質が含まれていても、その物質は放射能吸着フィルター１８に吸着され、除染された空気がシェルター１内に流入する。
【０１０２】
第１の給気装置１１と第２の給気装置１５は、同時に稼働されてもよいし、いずれか一方が稼働されてもよい。家庭電源が喪失され、かつ発電機も作動し得ない場合には、第２の給気装置１５を発電機１５ｂにより作動させて外気を内部空間１Ｒ内に取り込むことができる。
【０１０３】
第１および第２の給気管１２、１４および第１の給気装置１１は、遮光壁１９で囲まれている。この遮光壁１９は、側面部と上面部とを有する逆Ｌ形の躯体と、躯体の内外面を覆うポリウレア樹脂製膜体と、ポリウレア樹脂製膜体の外表面部を覆っている耐熱性を有するセラミックスで形成されている。遮光壁１９には、耐熱性、耐熱衝撃性、低熱膨張性を有するセラミックスを用いるのがよい。また、遮光壁１９は、高熱波等を受けた場合でも、第１および第２の給気管１２、１４および第１の給気装置１１をその高熱波等から保護する役目を果たし、もって、第１および第２の給気管１２、１４および第１の給気装置１１の早期劣化や熱破壊を回避することができる。
【０１０４】
シェルター１の設置場所としては、例えば個人の敷地の一角にコンクリートを打設して基礎としてコンクリート製設置面Ｃを設ける。コンクリート製設置面Ｃには、盛り上げ部Ｃ１を設ける。盛り上げ部Ｃ１は、シェルター本体２の内部空間１Ｒの水平断面に対応した平面形状に形成されている。
【０１０５】
次に、上記のように構成された本実施の形態に係るシェルターの効果について説明する。
【０１０６】
（Ｂ１）シェルター１は、耐爆風倒壊強度が大きく、放射線を遮蔽または軽減する機能を有し、また大気中または振り落ちた放射性物質やその汚染物から内部空間１Ｒを隔離でき、製造コストを安価に抑えられる。
【０１０７】
すなわち、シェルター１は、シェルター本体２および開閉扉３を放射線遮蔽材６およびポリウレア樹脂製膜体７が覆う構成であるので、放射線遮蔽材６がシェルター本体２および開閉扉３を透過しようとする放射線を遮蔽もしくは軽減し、またポリウレア樹脂製膜体７がシェルター本体２および開閉扉３の強度および耐久性を向上させるとともにシェルター本体２および開閉扉３と放射線遮蔽材６の一体性を向上させ、耐爆風倒壊強度を耐久的に補強することができる。
【０１０８】
シェルター１は、ポリウレア樹脂製膜体７を覆うよう最外面にセラミックス製タイル９が設けられているので、有事にシェルター１を取り巻く外気温が一時的にポリウレア樹脂製膜体７の溶融する数百℃以上の温度以上の高温になったとしても、セラミックス製タイル９が、高温に耐え内部への熱の流入を有効に遮断または軽減できる。したがって、躯体２ｃ、扉躯体３ａおよび戸躯体４ａへの高温伝熱を防ぐことができるとともに、ポリウレア樹脂製膜体７が変形したり部分的に溶融したりするのを防ぐことができ、セラミックス製タイル９がポリウレア樹脂製膜体７に接着した状態が保持されることになる。よって、シェルター本体２、開閉扉３および窓用引戸４は、外気温が一時的に高温になっても、熱衝撃に耐える耐熱性を有し、所要のシェルターを発揮することができる。
【０１０９】
加えて、本実施の形態のシェルター１では、少人数用の地上設置タイプの避難施設として、例えば個人住宅の敷地の一角に簡易に設置することができる。よって、シェルター１は、原子力発電所の事故発生等により放射性物質やその汚染物による被曝の可能性が生じる非常時に、個人用の地上設置タイプの避難施設として有効活用可能である。
【０１１０】
（Ｂ２）シェルター１は、セラミックス製タイル９が耐熱衝撃性を有するので、有事に外気温が急激に超高温になっても、セラミックス製タイル９がひび割れを起こすことが無く、ひび割れを通して放射線がシェルター内部に入ることを有効に回避でき、それだけ放射線遮蔽性が高く保持される。
【０１１１】
（Ｂ３）シェルター１は、排気管１７および放射能吸着フィルター１８を有する第２の給気管１４が設けられ、第２の給気管１４の内端に接続された第２の給気装置１５が設けられているので、内部空気を陽圧（放射性物質やその汚染物の侵入を防ぎ得る程度に外部空間より高圧）に保持することができ、シェルター本体２の内部に放射性物質やその汚染物が侵入することを防ぎつつ外気を取り入れることができる。
【０１１２】
（Ｂ４）シェルター１は、排気管１７および第２の給気管１４の外端部が逆Ｊ形状に形成されているので、排気管１７および第２の給気管１４の外端部に放射線を遮蔽するシャッターを設けることが不要で、構成の簡素化ができる。
【０１１３】
（Ｂ５）シェルター１は、第２の給気装置１５としてシロッコファンが設けられ、回転エネルギー入力源として、電力網と接続された給電用端子と、シロッコファンを回転させるハンドルとに切り替えて接続されるようになっているので、電力網から吸気装置への給電が途絶えたときには、ハンドルを手回しすることで、シロッコファンを回転させて放射能をカットした外気を内部に取り込むことができる。
【０１１４】
（Ｂ６）シェルター１は、耐熱性、耐熱衝撃性、低熱膨張性のうち、少なくとも耐熱性および熱遮蔽性を有する遮光壁１９で第１および第２の給気管１２、１４および第１の給気装置１１を囲んでいるので、有事に加熱原となる光を遮光し、遮光壁１９が第１および第２の給気管１２、１４および第１の給気装置１１の熱による機能喪失を回避できる。
【０１１５】
以上説明したように、本発明によれば、耐爆風倒壊強度が大きく、放射線を遮蔽もしくは軽減する機能を有し、または大気中に飛散する放射性物質等から隔離でき、製造コストを安価に抑えられる個人用等の地上設置型のシェルターを提供することができるものであり、さらに、外表層部にポリウレア樹脂製膜体を覆うセラミックス製タイルを付加するようにすれば、一時的に外気温が数百℃以上の高温になっても内層側への熱伝導を有効に抑制でき、ポリウレア樹脂製膜体の熱破壊による剥落を抑制可能なシェルターを提供できるものである。
【０１１６】
かかる本発明は、少なくとも一部が地上に露出する設置形態で所要の耐久性を有し、大気中の放射性物質等により被曝し得るよう非常時環境において少人数の防災・避難施設として有効活用可能な地上設置型のシェルター全般に有用である。
【符号の説明】
【０１１７】
１  シェルター
２  シェルター本体
２ａ  出入口（開口部）
２ｂ  窓用開口部（開口部）
２ｃ  躯体
３  開閉扉（扉）
３ａ  扉躯体
３ｂ  ロック手段
４  窓用引戸（戸）
４ａ  戸躯体
６  放射線遮蔽材
７  ポリウレア樹脂製膜体
８  断熱材
９  セラミックス製タイル
１０  第１の給気口
１１  第１の給気装置
１２  第１の給気管
１３  第２の給気口
１４  第２の給気管（給気管）
１５  第２の給気装置（給気装置）
１６  排気口
１７  排気管
１８  放射能吸着フィルター
１９  遮光壁
Ｃ  コンクリート製設置面
Ｃ１  盛り上げ部
【図１】
2019105025.tif 000004
【図２】
2019105025.tif 000005
【図３】
2019105025.tif 000006
【図４】
2019105025.tif 000007
【図５】
2019105025.tif 000008
【図６】
2019105025.tif 000009
【図７】
2019105025.tif 000010
【図８】
2019105025.tif 000011
【図９】
2019105025.tif 000012
【図１０】
2019105025.tif 000013
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
出入口を有するシェルター本体と、前記出入口を開閉する扉と、を備え、前記シェルター本体および前記扉の各外表層部、各内表層部の少なくとも一方に放射線遮蔽材が設けられたシェルターであって、
前記シェルター本体および前記扉の前記各外表層部がポリウレア樹脂製膜体の層を有しており、
前記シェルター本体の側面下部側に、それぞれ給気口を有するとともに放射能吸収フィルタを内蔵する第１、第２の給気管が設けられており、
片方の前記第１の給気管に、前記シェルター本体外に位置する外部設置型で、内蔵フィルタを通して室内に送気する第１の給気装置が接続される一方、
他の片方の前記第２の給気管には、前記シェルター本体内に位置するダクト接続型で、内蔵フィルタを通して室内に空気を流入させる第２の給気装置が接続されていることを特徴とするシェルター。
【請求項２】
前記シェルター本体の側面部に窓用開口部を有するとともに前記窓用開口部の周縁部外面に重なるよう前記窓用開口部を外側から閉塞するように戸を有し、前記戸の各外表層部および各内表層部の少なくとも一方に放射線遮蔽材が設けられ、さらに前記戸の前記外表層部がポリウレア樹脂製膜体の層を有していることを特徴とする請求項１に記載のシェルター。
【請求項３】
前記シェルター本体の前記出入口と前記扉の各対向面についても、前記放射線遮蔽材および前記ポリウレア樹脂製膜体の層を有していることを特徴とする請求項１または２に記載のシェルター。
【請求項４】
前記シェルター本体の前記窓用開口部と前記戸の各対向面についても、前記放射線遮蔽材および前記ポリウレア樹脂製膜体の層を有していることを特徴とする請求項２または３に記載のシェルター。
【請求項５】
前記シェルター本体、前記扉および前記戸の各壁厚の一部を占めるように断熱材の層が設けられていることを特徴とする請求項１ないし４のいずれか１項に記載のシェルター。
【請求項６】
前記第２の給気装置が、電源接続および手動回転入力のうちいずれかで稼働し得ることを特徴とする請求項１ないし５のいずれか１項に記載のシェルター。
【請求項７】
前記第２の給気管の外端部が逆Ｊ形状に立設されることを特徴とする請求項６に記載のシェルター。
【請求項８】
前記第２の給気装置としてシロッコファンが設けられ、家庭電源により稼働し得るようになっていることを特徴とする請求項６または７に記載のシェルター。
【請求項９】
設置位置に打設されたコンクリート製設置面に設けられた前記シェルター本体の内部空間の水平断面に対応した盛り上げ部に、前記シェルター本体の下端部が被さるよう設けられていることを特徴とする請求項１ないし８のいずれか１項に記載のシェルター。
【請求項１０】
前記ポリウレア樹脂製膜体を覆うよう最外面に耐熱性および熱遮蔽性を有するセラミックス製タイルがさらに設けられていることを特徴とする請求項１ないし９のいずれか１項に記載のシェルター。
【請求項１１】
前記セラミックス製タイルは、耐熱衝撃性を有するセラミックス製タイルであることを特徴とする請求項１０に記載のシェルター。
【請求項１２】
前記セラミックス製タイルは、窒化ケイ素、サイアロン、チタン酸アルミニウム、ムライト、コージライト、耐熱衝撃性アルミナの中のいずれか１種類を含むセラミックスよりなるタイルであることを特徴とする請求項１１に記載のシェルター。
【請求項１３】
前記シェルター本体の側面下部側に、前記第１、第２の給気管および両給気装置を囲む耐熱性の遮光壁が設けられていることを特徴とする請求項１ないし１２のいずれか１項に記載のシェルター。